(57)【要約】【課題】コンテンツを効率的に保管する。【解決手段】本発明のコンテンツ管理システム４は、コンテンツを識別するコンテンツＩＤを含む保管要求を受け付け、コンテンツが記録手段に記録済みと判断された場合、コンテンツＩＤとコンテンツを参照するための参照データとを関連付けて記録手段に記録し、記録済みでないと判断された場合、保管要求元にコンテンツを要求し、ユーザから受け付けたコンテンツとコンテンツＩＤとを関連付けて記録手段に記録する。コンテンツ管理システム４は、ユーザからコンテンツＩＤを含む取得要求を受け付け、コンテンツを記録手段から読み出し、コンテンツを取得要求元に配信する。【選択図】    図１
2004199602.tif 000002
【特許請求の範囲】
【請求項１】
コンテンツを保管するコンテンツ管理システムにおいて、
前記コンテンツを識別するコンテンツＩＤを含む保管要求を受け付ける第１受理手段と、
前記保管要求に基づいて、前記コンテンツが記録手段に記録済みと判断された場合、前記コンテンツＩＤと前記コンテンツを参照するための参照データとを関連付けて前記記録手段に記録し、記録済みでないと判断された場合、保管要求元に前記コンテンツを要求し、前記保管要求元から受け付けた前記コンテンツと前記コンテンツＩＤとを関連付けて前記記録手段に記録する保管手段と、
前記コンテンツＩＤを含む取得要求を受け付ける第２受理手段と、
前記取得要求に基づいて、前記コンテンツを前記記録手段から読み出す読み出し手段と、
前記読み出し手段によって読み出された前記コンテンツを取得要求元に配信する配信手段と
を具備するコンテンツ管理システム。
【請求項２】
コンテンツを保管するコンテンツ管理システムにおいて、
前記コンテンツを識別するコンテンツＩＤを含む保管要求と前記コンテンツとを受け付ける第１受理手段と、
前記保管要求に基づいて、前記コンテンツが記録手段に記録済みと判断された場合、前記コンテンツＩＤと前記コンテンツを参照するための参照データとを関連付けて前記記録手段に記録し、記録済みでないと判断された場合、前記コンテンツと前記コンテンツＩＤとを関連付けて前記記録手段に記録する保管手段と、
前記コンテンツＩＤを含む取得要求を受け付ける第２受理手段と、
前記取得要求に基づいて、前記コンテンツを前記記録手段から読み出す読み出し手段と、
前記読み出し手段によって読み出された前記コンテンツを取得要求元に配信する配信手段と
を具備するコンテンツ管理システム。
【請求項３】
権利データにより利用制限が解除されるコンテンツを変更した変更コンテンツを保管するコンテンツ管理システムであって、
前記コンテンツを識別するコンテンツＩＤと前記変更コンテンツとを含む保管要求を受け付ける第１受理手段と、
前記保管要求に基づいて、前記コンテンツを利用制限するために用いた利用制限データと前記コンテンツＩＤとを関連付けて記録する記録手段を参照し、前記変更コンテンツを前記利用制限データを用いて利用制限した保管コンテンツを求める権利管理手段と、
前記保管コンテンツを識別する保管コンテンツＩＤを発行し、保管要求元に前記保管コンテンツＩＤを提供し、前記保管コンテンツＩＤと前記保管コンテンツとを関連付けて前記記録手段に記録する保管手段と、
前記保管コンテンツＩＤを含む取得要求を受け付ける第２受理手段と、
前記取得要求に基づいて前記保管コンテンツを前記記録手段から読み出す読み出し手段と、
前記読み出し手段によって読み出された前記保管コンテンツを取得要求元に配信する配信手段と
を具備するコンテンツ管理システム。
【請求項４】
権利データにより利用制限が解除されるコンテンツの一部である部分コンテンツを保管するコンテンツ管理システムであって、
前記コンテンツを識別するコンテンツＩＤと前記コンテンツに対する前記部分コンテンツの位置データとを含む保管要求を受け付ける第１受理手段と、
前記保管要求に基づいて、前記コンテンツを利用制限するために用いた利用制限データと前記コンテンツＩＤと前記コンテンツとを関連付けて記録する記録手段を参照し、前記コンテンツと前記位置データとから前記部分コンテンツを求め、前記部分コンテンツを前記利用制限データを用いて利用制限した保管コンテンツを求める権利管理手段と、
前記保管コンテンツを識別する保管コンテンツＩＤを発行し、保管要求元に前記保管コンテンツＩＤを提供し、前記保管コンテンツＩＤと前記保管コンテンツとを関連付けて前記記録手段に記録する保管手段と、
前記保管コンテンツＩＤを含む取得要求を受け付ける第２受理手段と、
前記取得要求に基づいて、前記保管コンテンツを前記記録手段から読み出す読み出し手段と、
前記読み出し手段によって読み出された前記保管コンテンツを取得要求元に配信する配信手段と
を具備するコンテンツ管理システム。
【請求項５】
権利データにより利用制限が解除されるコンテンツを変更した変更コンテンツを保管するコンテンツ管理システムであって、
前記コンテンツを識別するコンテンツＩＤと前記変更コンテンツとを含む保管要求を受け付ける第１受理手段と、
前記保管要求に基づいて、前記コンテンツを利用制限するために用いた利用制限データと前記コンテンツＩＤとを関連付けて記録する記録手段を参照し、前記変更コンテンツを前記利用制限データを用いて利用制限した保管コンテンツを求める権利管理手段と、
前記保管コンテンツと前記保管コンテンツを識別する保管コンテンツＩＤとが関連付けされて前記記録手段に記録済みでないと判断された場合、前記保管コンテンツＩＤを発行し、保管要求元に前記保管コンテンツＩＤを提供し、前記保管コンテンツＩＤと前記保管コンテンツとを関連付けて前記記録手段に記録し、記録済みと判断された場合、前記保管コンテンツＩＤと前記保管コンテンツを参照するための参照データとを関連付けて前記記録手段に記録する保管手段と、
前記保管コンテンツＩＤを含む取得要求を受け付ける第２受理手段と、
前記取得要求に基づいて、前記保管コンテンツを前記記録手段から読み出す読み出し手段と、
前記読み出し手段によって読み出された前記保管コンテンツを取得要求元に配信する配信手段と
を具備するコンテンツ管理システム。
【請求項６】
権利データにより利用制限が解除されるコンテンツの一部である部分コンテンツを保管するコンテンツ管理システムであって、
前記コンテンツを識別するコンテンツＩＤと前記コンテンツに対する前記部分コンテンツの位置データとを含む保管要求を受け付ける第１受理手段と、
前記保管要求に基づいて、前記コンテンツを利用制限するために用いた利用制限データと前記コンテンツＩＤと前記コンテンツとを関連付けて記録する記録手段を参照し、前記コンテンツと前記位置データとから前記部分コンテンツを求め、前記部分コンテンツを前記利用制限データを用いて利用制限した保管コンテンツを求める権利管理手段と、
前記保管コンテンツと前記保管コンテンツを識別する保管コンテンツＩＤとが関連付けされて前記記録手段に記録済みでないと判断された場合、前記保管コンテンツＩＤを発行し、保管要求元に前記保管コンテンツＩＤを提供し、前記保管コンテンツＩＤと前記保管コンテンツとを関連付けて前記記録手段に記録し、記録済みと判断された場合、前記保管コンテンツＩＤと前記保管コンテンツを参照するための参照データとを関連付けて前記記録手段に記録する保管手段と、
前記保管コンテンツＩＤを含む取得要求を受け付ける第２受理手段と、
前記取得要求に基づいて、前記保管コンテンツを前記記録手段から読み出す読み出し手段と、
前記読み出し手段によって読み出された前記保管コンテンツを取得要求元に配信する配信手段と
を具備するコンテンツ管理システム。
【請求項７】
コンテンツを識別するコンテンツＩＤを含む保管要求を、コンテンツ保管を行うコンテンツ管理システムに提供する保管要求提供手段と、
前記保管要求に基づいて前記コンテンツ管理システムに前記コンテンツが記録済みでないと前記コンテンツ管理システムで判断された場合、前記コンテンツ管理システムから前記コンテンツの要求を受け付け、前記コンテンツを前記コンテンツ管理システムに提供するコンテンツ提供手段と、
前記コンテンツＩＤを含む取得要求を前記コンテンツ管理システムに提供する手段と、
前記要求に応じて前記コンテンツ提供手段から前記コンテンツ管理システムに前記コンテンツが提供された場合、前記取得要求に応じて前記コンテンツ提供手段から前記コンテンツ管理システムに提供された前記コンテンツを受け付け、前記コンテンツが提供されなかった場合、前記取得要求に応じて前記コンテンツ管理システムに記録済みであった前記コンテンツを受け付ける手段と
を具備するユーザシステム。
【請求項８】
ユーザの指示にしたがって、権利データにより利用制限が解除されるコンテンツを変更した変更コンテンツを作成する手段と、
前記コンテンツを識別するコンテンツＩＤと前記変更コンテンツとを含む保管要求を、コンテンツ保管するコンテンツ管理システムに提供する手段と、
前記コンテンツを利用制限するために用いた利用制限データを用いて前記変更コンテンツを利用制限した保管コンテンツを識別する保管コンテンツＩＤを前記コンテンツ管理システムから受け付ける手段と、
前記保管コンテンツＩＤを含む取得要求を前記コンテンツ管理システムに提供する手段と、
前記取得要求に応じて前記コンテンツ管理システムから読み出された前記保管コンテンツを受け付ける手段と
を具備するユーザシステム。
【請求項９】
コンテンツ提供システムからユーザシステムに配信されたコンテンツを、コンテンツ管理システムによって保管するコンテンツ配信システムにおいて、
前記コンテンツ管理システムは、
前記コンテンツを識別するコンテンツＩＤを含む保管要求を受け付ける第１受理手段と、
前記保管要求に基づいて、前記コンテンツが記録手段に記録済みと判断された場合、前記コンテンツＩＤと前記コンテンツを参照するための参照データとを関連付けて前記記録手段に記録し、記録済みでないと判断された場合、保管要求元に前記コンテンツを要求し、前記保管要求元から受け付けた前記コンテンツと前記コンテンツＩＤとを関連付けて前記記録手段に記録する保管手段と、
前記コンテンツＩＤを含む取得要求を受け付ける第２受理手段と、
前記取得要求に基づいて、前記コンテンツを前記記録手段から読み出す読み出し手段と、
前記読み出し手段によって読み出された前記コンテンツを取得要求元に配信する配信手段と
を具備し、
前記ユーザシステムは、
前記保管要求を前記コンテンツ管理システムに提供する手段と、
前記コンテンツ管理システムから前記コンテンツの要求を受け付けた場合、前記コンテンツを前記コンテンツ管理システムに提供する手段と、
前記取得要求を前記コンテンツ管理システムに提供する手段と、
前記取得要求に応じて前記コンテンツ管理システムから前記コンテンツを受け付ける手段と
を具備する
ことを特徴とするコンテンツ管理システム。
【請求項１０】
コンテンツ提供システムからユーザシステムに配信されたコンテンツを、コンテンツ管理システムによって保管するコンテンツ配信システムにおいて、
前記コンテンツ管理システムは、
前記コンテンツを識別するコンテンツＩＤを含む保管要求と前記コンテンツとを受け付ける第１受理手段と、
前記保管要求に基づいて、前記コンテンツが記録手段に記録済みと判断された場合、前記コンテンツＩＤと前記コンテンツを参照するための参照データとを関連付けて前記記録手段に記録し、記録済みでないと判断された場合、前記コンテンツと前記コンテンツＩＤとを関連付けて前記記録手段に記録する保管手段と、
前記コンテンツＩＤを含む取得要求を受け付ける第２受理手段と、
前記取得要求に基づいて、前記コンテンツを前記記録手段から読み出す読み出し手段と、
前記読み出し手段によって読み出された前記コンテンツを取得要求元に配信する配信手段と
を具備し、
前記ユーザシステムは、
前記保管要求と前記コンテンツとを前記コンテンツ管理システムに提供する手段と、
前記取得要求を前記コンテンツ管理システムに提供する手段と、
前記取得要求に応じて前記コンテンツ管理システムから前記コンテンツを受け付ける手段と
を具備する
ことを特徴とするコンテンツ管理システム。
【請求項１１】
権利データにより利用制限が解除されるコンテンツをコンテンツ提供システムからユーザシステムに提供し、前記権利データをコンテンツ管理システムから前記ユーザシステムに提供するコンテンツ配信システムにおいて、
前記コンテンツ管理システムは、
前記コンテンツを識別するコンテンツＩＤと前記コンテンツを変更した変更コンテンツとを含む保管要求を受け付ける第１受理手段と、
前記保管要求に基づいて、前記コンテンツを利用制限するために用いた利用制限データと前記コンテンツＩＤとを関連付けて記録する記録手段を参照し、前記変更コンテンツを前記利用制限データを用いて利用制限した保管コンテンツを求める権利管理手段と、
前記保管コンテンツを識別する保管コンテンツＩＤを発行し、保管要求元に前記保管コンテンツＩＤを提供し、前記保管コンテンツＩＤと前記保管コンテンツとを関連付けて前記記録手段に記録する保管手段と、
前記保管コンテンツＩＤを含む取得要求を受け付ける第２受理手段と、
前記取得要求に基づいて前記保管コンテンツを前記記録手段から読み出す読み出し手段と、
前記読み出し手段によって読み出された前記保管コンテンツを取得要求元に配信する配信手段と
を具備し、
前記ユーザシステムは、
ユーザの指示にしたがって前記変更コンテンツを作成する手段と、
前記保管要求を前記コンテンツ管理システムに提供する手段と、
前記保管コンテンツＩＤを前記コンテンツ管理システムから受け付ける手段と、
前記取得要求を前記コンテンツ管理システムに提供する手段と、
前記取得要求に応じて前記コンテンツ管理システムから前記保管コンテンツを受け付ける手段と
を具備する
ことを特徴とするコンテンツ配信システム。
【請求項１２】
コンピュータを、
コンテンツを識別するコンテンツＩＤを含む保管要求を受け付ける第１受理手段、
前記保管要求に基づいて、前記コンテンツが記録手段に記録済みと判断された場合、前記コンテンツＩＤと前記コンテンツを参照するための参照データとを関連付けて前記記録手段に記録し、記録済みでないと判断された場合、保管要求元に前記コンテンツを要求し、前記保管要求元から受け付けた前記コンテンツと前記コンテンツＩＤとを関連付けて前記記録手段に記録する保管手段、
前記コンテンツＩＤを含む取得要求を受け付ける第２受理手段、
前記取得要求に基づいて、前記コンテンツを前記記録手段から読み出す読み出し手段、
前記読み出し手段によって読み出された前記コンテンツを取得要求元に配信する配信手段
として機能させるためのプログラム。
【請求項１３】
コンピュータを、
コンテンツを識別するコンテンツＩＤを含む保管要求と前記コンテンツとを受け付ける第１受理手段、
前記保管要求に基づいて、前記コンテンツが記録手段に記録済みと判断された場合、前記コンテンツＩＤと前記コンテンツを参照するための参照データとを関連付けて前記記録手段に記録し、記録済みでないと判断された場合、前記コンテンツと前記コンテンツＩＤとを関連付けて前記記録手段に記録する保管手段、
前記コンテンツＩＤを含む取得要求を受け付ける第２受理手段、
前記取得要求に基づいて、前記コンテンツを前記記録手段から読み出す読み出し手段、
前記読み出し手段によって読み出された前記コンテンツを保管要求元に配信する配信手段
として機能させるためのプログラム。
【請求項１４】
権利データにより利用制限が解除されるコンテンツを変更した変更コンテンツを保管するためのプログラムであって、
コンピュータを、
前記コンテンツを識別するコンテンツＩＤと前記変更コンテンツとを含む保管要求を受け付ける第１受理手段、
前記保管要求に基づいて、前記コンテンツを利用制限するために用いた利用制限データと前記コンテンツＩＤとを関連付けて記録する記録手段を参照し、前記変更コンテンツを前記利用制限データを用いて利用制限した保管コンテンツを求める権利管理手段、
前記保管コンテンツを識別する保管コンテンツＩＤを発行し、保管要求元に前記保管コンテンツＩＤを提供し、前記保管コンテンツＩＤと前記保管コンテンツとを関連付けて前記記録手段に記録する保管手段、
前記保管コンテンツＩＤを含む取得要求を受け付ける第２受理手段、
前記取得要求に基づいて前記保管コンテンツを前記記録手段から読み出す読み出し手段、
前記読み出し手段によって読み出された前記保管コンテンツを取得要求元に配信する配信手段
として機能させるためのプログラム。
【請求項１５】
コンピュータによるコンテンツ管理方法において、
コンテンツを識別するコンテンツＩＤを含む保管要求を受け付け、
前記保管要求に基づいて、前記コンテンツが記録手段に記録済みと判断された場合、前記コンテンツＩＤと前記コンテンツを参照するための参照データとを関連付けて前記記録手段に記録し、記録済みでないと判断された場合、保管要求元に前記コンテンツを要求し、前記保管要求元から受け付けた前記コンテンツと前記コンテンツＩＤとを関連付けて前記記録手段に記録し、
前記コンテンツＩＤを含む取得要求を受け付け、
前記取得要求に基づいて、前記コンテンツを前記記録手段から読み出し、
読み出された前記コンテンツを取得要求元に配信する
ことを特徴とする方法。
【請求項１６】
コンピュータによるコンテンツ管理方法において、
コンテンツを識別するコンテンツＩＤを含む保管要求と前記コンテンツとを受け付け、
前記保管要求に基づいて、前記コンテンツが記録手段に記録済みと判断された場合、前記コンテンツＩＤと前記コンテンツを参照するための参照データとを関連付けて前記記録手段に記録し、記録済みでないと判断された場合、前記コンテンツと前記コンテンツＩＤとを関連付けて前記記録手段に記録し、
前記コンテンツＩＤを含む取得要求を受け付け、
前記取得要求に基づいて、前記コンテンツを前記記録手段から読み出し、
読み出された前記コンテンツを取得要求元に配信する
ことを特徴とする方法。
【請求項１７】
コンピュータによる権利データにより利用制限が解除されるコンテンツを変更した変更コンテンツを管理する方法であって、
前記コンテンツを識別するコンテンツＩＤと前記変更コンテンツとを含む保管要求を受け付け、
前記保管要求に基づいて、前記コンテンツを利用制限するために用いた利用制限データと前記コンテンツＩＤとを関連付けて記録する記録手段を参照し、前記変更コンテンツを前記利用制限データを用いて利用制限した保管コンテンツを求め、
前記保管コンテンツを識別する保管コンテンツＩＤを発行し、保管要求元に前記保管コンテンツＩＤを提供し、前記保管コンテンツＩＤと前記保管コンテンツとを関連付けて前記記録手段に記録し、
前記保管コンテンツＩＤを含む取得要求を受け付け、
前記取得要求に基づいて前記保管コンテンツを前記記録手段から読み出し、
読み出された前記保管コンテンツを取得要求元に配信する
ことを特徴とする方法。
【発明の詳細な説明】
【０００１】
【発明の属する技術分野】
本発明は、電子書籍、音楽、動画等の任意のデジタルコンテンツを保管するコンテンツ管理システム及びプログラム並びに方法に関する。
【０００２】
【従来の技術】
超流通は、デジタルコンテンツをネットワーク上で円滑に流通させるための仕組みである。
【０００３】
超流通では、コンテンツ提供者は、何らかの手段でコンテンツを暗号化した暗号化コンテンツをユーザに配信する。コンテンツ提供者又は鍵管理者は、暗号化コンテンツとは別に、暗号化コンテンツを復号化する復号鍵をユーザに提供する。ユーザは復号鍵を購入することによりコンテンツの利用が許可される。
【０００４】
このように、超流通では、通常コンテンツは暗号化され、その内容が保護される。暗号化コンテンツの入手は無料で、どの経路で入手してもよい。暗号化コンテンツは特定のソフトウェア上で、復号鍵により復号化され、コンテンツがユーザに利用される。
【０００５】
超流通は、コンテンツの著作権保護とユーザの利便性を同時に保証し、コンテンツの流通を促進する。超流通では以下の（１）〜（４）に示すような効果が得られる。
【０００６】
（１）電子的な流通によりコンテンツを迅速に流通させることができ、コンテンツの流通が現在よりも劇的に増加する。
【０００７】
（２）不正コピーが防止され、コンテンツの著作権者などコンテンツ権利者の権利を守ることができる。コンテンツは暗号化されるため、不正コピーがされても復号鍵を入手しない限り利用不可となる。
【０００８】
（３）コンテンツを利用するための料金が下がる。すなわち、不正コピーによる損失分を上乗せしてコンテンツの利用料金を設定する必要がなく、流通にかかる費用も安くなるため、コンテンツ自体の利用料金が安くなる。
【０００９】
（４）従量制課金ができるため、気軽にコンテンツを利用できる。
【００１０】
特許文献１（特開２００２−２８８４４９号公報）には、一旦ダウンロードしたコンテンツが、再度ダウンロードされる技術について記載されている。
【００１１】
この特許文献１の発明では、サーバ装置および／またはクライアント機器は、一旦ダウンロードされたコンテンツの購入の記録を保持する。クライアント機器は、購入の記録を参照し、購入の記録にあるコンテンツのダウンロードを要求し、再ダウンロードする。サーバ装置は、再ダウンロード要求に対して、購入の記録を参照し、チェックし、再ダウンロードをクライアント側にとって適切な対価で行う。
【００１２】
その他、特許文献２（特開２００２−６３５００号公報）、特許文献３（特開２００２−２４５２６８号公報）にコンテンツの再取得に関する発明が記載されている。
【００１３】
また、特許文献４（特開２００１−１８４３１４号公報）には、購入したコンテンツの保管装置が記載されている。
【００１４】
【特許文献１】
特開２００２−２８８４４９号公報
【００１５】
【特許文献２】
特開２００２−６３５００号公報
【００１６】
【特許文献３】
特開２００２−２４５２６８号公報
【００１７】
【特許文献４】
特開２００１−１８４３１４号公報
【００１８】
【発明が解決しようとする課題】
超流通におけるユーザは、一般的に、コンテンツをパーソナルコンピュータなどのユーザ端末に保管するか、又はフレキシブルディスクのような記録媒体に保管する。
【００１９】
しかし、ハードディスクの障害、オペレーティングシステム（以下、「ＯＳ」という）の不具合、人為的なミス、そしてユーザ端末、記録媒体自体の盗難や紛失、地震や火事などの自然災害など、コンテンツの紛失の原因となる事項は多く、コンテンツを確実に保管することは困難である。
【００２０】
したがって、超流通では、ユーザがコンテンツを紛失した場合、ユーザの手間をかけずに効率的にコンテンツを再取得できるか問題になる。
【００２１】
コンテンツを再取得する場合には、ユーザは以前コンテンツのダウンロードを行ったサイトから再ダウンロードするか、又はどこかの検索エンジンを利用し紛失したコンテンツを検索して再ダウンロードする方法が一般的に利用される。しかし、この方法ではコンテンツの再取得を効率的に行うことは困難である。
【００２２】
例えば、先にコンテンツをダウンロードしたサイトを再びアクセスしても、迅速にコンテンツを発見し再ダウンロードできる保証はない。なぜなら、コンテンツの提供がすでに打ち切られている場合などがためである。
【００２３】
また、検索エンジンを利用するケースにおいても、まず検索作業自体がユーザにとって負担となり、さらに検索ノイズなどの影響でユーザがすぐに紛失したコンテンツを発見するまでに時間がかかり、コンテンツの再取得が困難な場合がある。
【００２４】
上記特許文献１〜４では、コンテンツの再取得、保管について記載されている。しかしながら、超流通において一旦取得したコンテンツについてユーザが編集を行い、この編集されたコンテンツを保管し、再取得する仕組みについては説明されていない。
【００２５】
例えば、新聞、雑誌（週刊誌）などのコンテンツについて、ユーザは、一度読んだ後コンテンツ全体を保存する必要はないが、そのコンテンツ中の一部の記事を切り抜いて利用したい場合がある。このような場合に、コンテンツ全体をサーバに保管しておくとサーバの容量が膨大になり、サーバの異常発生の原因となる場合がある。
【００２６】
また、コンテンツ全体を保管し、コンテンツの切り抜きなどの編集行為を再度行うことは、著作権などコンテンツに関係する権利の侵害行為となる可能性もある。よって、コンテンツに関係する権利の侵害を防ぎつつ編集されたコンテンツの再取得を可能にするための仕組みが必要になる。
【００２７】
上記特許文献１〜４では、ユーザ端末に提供されたコンテンツがサーバなどに保管されるが、同一のコンテンツが複数のユーザに取得された場合であってもそれぞれのユーザについて同一のコンテンツが記録される。したがって、サーバに記録されるコンテンツに重複が発生し、サーバの容量が膨大になり、サーバの異常発生の原因となる場合がある。特に、ユーザ数、ユーザに配信されるコンテンツ数が多くなる程、この問題も深刻化する。
【００２８】
本発明は、以上のような実情に鑑みてなされたもので、保管されるコンテンツ数と容量を削減するとともにコンテンツを容易かつ迅速に再取得し、コンテンツの保管を効率化するためのコンテンツ管理システム及びプログラム並びに方法を提供することを目的とする。
【００２９】
【課題を解決するための手段】
本発明を実現するにあたって講じた具体的手段について以下に説明する。
【００３０】
第１の発明は、コンテンツを保管するコンテンツ管理システムに関する。
【００３１】
第１の発明において、第１受理手段は、コンテンツを識別するコンテンツＩＤを含む保管要求を受け付ける。
【００３２】
保管手段は、保管要求に基づいて、コンテンツが記録手段に記録済みと判断された場合、コンテンツＩＤとコンテンツを参照するための参照データとを関連付けて記録手段に記録し、記録済みでないと判断された場合、保管要求元にコンテンツを要求し、保管要求元から受け付けたコンテンツとコンテンツＩＤとを関連付けて記録手段に記録する。
【００３３】
第２受理手段は、コンテンツＩＤを含む取得要求を受け付け、読み出し手段は、取得要求に基づいて、コンテンツを記録手段から読み出し、配信手段は、読み出し手段によって読み出されたコンテンツを取得要求元に配信する。
【００３４】
この第１の発明では、記録手段に同じコンテンツが重複して記録されることがないため、同一のコンテンツを保管するユーザ数、各コンテンツの容量、保管するコンテンツ数が多くなっても効率的にコンテンツが保管され、再配信できる。
【００３５】
また、本発明のコンテンツ管理システムは、コンテンツが未登録の場合にのみコンテンツを受け付けるため通信効率が向上する。
【００３６】
なお、上記第１の発明において、第１受理手段は、コンテンツＩＤを含む保管要求とコンテンツとを受け付け、保管手段は、保管要求に基づいて、コンテンツが記録手段に記録済みと判断された場合、コンテンツＩＤとコンテンツを参照するための参照データとを関連付けて前記記録手段に記録し、記録済みでないと判断された場合、コンテンツとコンテンツＩＤとを関連付けて記録手段に記録するとしてもよい。
【００３７】
この場合、コンテンツが記録装置に記録済みでない場合に、コンテンツを要求するための処理が省略され、処理効率と処理速度を向上させることができる。
【００３８】
第２の発明は、権利データにより利用制限が解除されるコンテンツを変更した変更コンテンツを保管するコンテンツ管理システムに関する。
【００３９】
第２の発明において、第１受理手段は、コンテンツＩＤと変更コンテンツとを含む保管要求を受け付ける。
【００４０】
権利管理手段は、保管要求に基づいて、コンテンツを利用制限するために用いた利用制限データとコンテンツＩＤとを関連付けて記録する記録手段を参照し、変更コンテンツを利用制限データを用いて利用制限した保管コンテンツを求める。
【００４１】
保管手段は、保管コンテンツを識別する保管コンテンツＩＤを発行し、保管要求元に保管コンテンツＩＤを提供し、保管コンテンツＩＤと保管コンテンツとを関連付けて記録手段に記録する。
【００４２】
第２受理手段は、保管コンテンツＩＤを含む取得要求を受け付け、読み出し手段は、取得要求に基づいて保管コンテンツを記録手段から読み出し、配信手段は、読み出し手段によって読み出された保管コンテンツを取得要求元に配信する。
【００４３】
この第２の発明では、ユーザの切り抜きなどの編集作業によって得られた変更コンテンツが記録手段に安全かつ確実に保管され、紛失した場合に保管されたコンテンツが配信され、再生できる。
【００４４】
したがって、ユーザは、権利データを持っていれば、その後ディスククラッシュ、ＯＳの不具合、端末自体の盗難など何らかの原因でコンテンツを紛失しても、変更されたコンテンツを容易に再利用できる。
【００４５】
なお、上記第２の発明において、変更コンテンツは、コンテンツの一部である部分コンテンツであり、第１受理手段は、コンテンツＩＤとコンテンツに対する部分コンテンツの位置データとを含む保管要求を受け付け、権利管理手段は。保管要求に基づいて、利用制限データとコンテンツＩＤとコンテンツとを関連付けて記録する記録手段を参照し、コンテンツと位置データとから部分コンテンツを求め、部分コンテンツを利用制限データを用いて利用制限した保管コンテンツを求め、保管手段は、保管コンテンツを識別する保管コンテンツＩＤを発行し、保管要求元に保管コンテンツＩＤを提供し、保管コンテンツＩＤと保管コンテンツとを関連付けて記録手段に記録するとしてもよい。
【００４６】
このように、コンテンツ管理システム側で位置データから部分コンテンツを求めることで、部分コンテンツ自体を送信する必要がなく、通信容量、通信時間を削減でき、通信効率が向上される。
【００４７】
また、上記第２の発明において、保管手段は、保管コンテンツと保管コンテンツＩＤとが関連付けされて記録手段に記録済みでないと判断された場合、保管コンテンツＩＤを発行し、保管要求元に保管コンテンツＩＤを提供し、保管コンテンツＩＤと保管コンテンツとを関連付けて記録手段に記録し、記録済みと判断された場合、保管コンテンツＩＤと保管コンテンツを参照するための参照データとを関連付けて記録手段に記録するとしてもよい。
【００４８】
これにより、保管コンテンツの重複記録を防止できる。
【００４９】
また、上記第２の発明において、変更コンテンツは、コンテンツの一部である部分コンテンツであり、第１受理手段は、コンテンツＩＤとコンテンツに対する部分コンテンツの位置データとを含む保管要求を受け付け、権利管理手段は、保管要求に基づいて、利用制限データとコンテンツＩＤとコンテンツとを関連付けて記録する記録手段を参照し、コンテンツと位置データとから部分コンテンツを求め、部分コンテンツを利用制限データを用いて利用制限した保管コンテンツを求め、保管手段は、保管コンテンツと保管コンテンツＩＤとが関連付けされて記録手段に記録済みでない場合、保管コンテンツＩＤを発行し、保管要求元に保管コンテンツＩＤを提供し、保管コンテンツＩＤと保管コンテンツとを関連付けて記録手段に記録し、記録済みと判断された場合、保管コンテンツＩＤと保管コンテンツを参照するための参照データとを関連付けて記録手段に記録するとしてもよい。
【００５０】
これにより、部分コンテンツ自体を送信する必要がなく通信効率が向上され、保管コンテンツの重複記録を防止できる。
【００５１】
なお、コンテンツ提供システムからユーザシステムに配信されたコンテンツを、コンテンツ管理システムによって保管するコンテンツ配信システムにおいて、コンテンツ管理システムに上記第１又は第２の発明を適用してもよい。
【００５２】
また、上記各システムによって実行されるコンテンツの管理方法を実施すことにより、同様の作用効果が得られる。
【００５３】
また、上記各手段は、プログラムの機能によって実現されるとしてもよい。
【００５４】
【発明の実施の形態】
以下、図面を参照しながら本発明の実施の形態について説明する。
【００５５】
（第１の実施の形態）
本実施の形態においては、権利データが復号鍵の場合について説明する。なお、例えばパスワードなど、利用制限を解除するための他のデータが権利データの場合も同様である。
【００５６】
本実施の形態において、復号鍵は例えばＳＤメモリカードのような記憶媒体に保管され、ユーザはコンテンツを紛失したとしても復号鍵は紛失しないとする。
【００５７】
本実施の形態に係るコンテンツ配信システムでは、復号鍵の配信に対して課金され、暗号化コンテンツの配信に対しては課金されないとする。
【００５８】
超流通において、ユーザ端末は、暗号化コンテンツを復号鍵で復号化し、復号化後のコンテンツを利用・管理する。しかし、上述した各種の理由で、ユーザは、コンテンツ又はユーザ端末を紛失することがある。
【００５９】
本実施の形態では、コンテンツ又はユーザ端末は紛失したが復号鍵は紛失していないユーザに、ユーザの労力を軽減しつつコンテンツを再取得させ、再利用させる。
【００６０】
本実施の形態では、鍵管理者がコンテンツ管理サービスを実施する場合について説明するが、鍵管理者とコンテンツ管理サービスを実施するコンテンツ管理者は別の者であってもよい。
【００６１】
鍵管理者の運営するコンテンツ管理システムは、ユーザの所有するコンテンツを保管するためのコンテンツレポジトリサービスを実施し、コンテンツの紛失に伴う再取得を実現する。
【００６２】
コンテンツ管理システムは、ユーザ端末からの保管要求にしたがってコンテンツを保管する。ユーザ端末は、コンテンツ管理システムに保管したコンテンツを受け付け、ユーザ所有の復号鍵で復号化し、再利用する。
【００６３】
コンテンツ管理システムは、コンテンツの中の一部（コンテンツの切り抜き）である部分コンテンツを暗号化して保管コンテンツを作成し、保管コンテンツを保管する。ユーザ端末は、保管コンテンツを取得しユーザ所有の復号鍵で保管コンテンツを復号化し、再利用する。
【００６４】
ユーザ端末のコンテンツビューアは、コンテンツ取得時、ユーザからの指示受付、所定時間経過など所定のイベント発生時にコンテンツ管理システムに自動的に暗号化コンテンツ又は部分コンテンツの保管を要求する。
【００６５】
コンテンツ管理システムは、異なるユーザから同一コンテンツを預かる場合、重複を排除する。
【００６６】
ユーザ端末は、著作権などコンテンツに関係する権利を侵害しないコンテンツの変更（編集）を実現する。
【００６７】
図１は、本実施の形態に係るコンテンツ配信システムの一例を示すブロック図である。
【００６８】
本実施の形態に係るコンテンツ配信システムは、コンテンツ提供者（出版社）によって運営されるコンテンツ提供システム１、コンテンツ流通者（本屋）によって運営されるコンテンツ流通システム２、ユーザによって操作されるユーザ端末３、鍵管理者によって運営されるコンテンツ管理システム４とを具備する。
【００６９】
コンテンツ提供システム１は、コンテンツを作成するか又は作成済みのコンテンツを受け付け、暗号化依頼部８を通じてコンテンツ管理システム４に暗号化コンテンツの作成を依頼する。そして、コンテンツ提供システム１は、コンテンツ管理システム４から受け付けた暗号化コンテンツをコンテンツ流通システム２に配信する。
【００７０】
コンテンツ流通システム２は、ユーザ端末３からの要求に応じて暗号化コンテンツをユーザ端末３に配信、又は自動配信する。
【００７１】
ユーザ端末３は、受け付けた暗号化コンテンツを利用するための復号鍵をコンテンツ管理システム４から購入し、例えば、ＳＤメモリカード、フレキシブルディスクなどのような着脱式記録媒体２６に保管する。
【００７２】
また、ユーザ端末３は、コンテンツ管理システム４に保管要求を発信し、必要に応じて保管したい暗号化コンテンツ又は部分コンテンツをコンテンツ管理システム４に送信する。
【００７３】
ユーザ端末３は、コンテンツ管理システム４に保管されたコンテンツを取得するときは、取得要求を発信し、コンテンツ管理システム４から暗号化コンテンツ又は部分コンテンツを暗号化した保管コンテンツを受け付け、着脱式記録媒体２６に記録された復号鍵でコンテンツを復号化し、利用可能とする。
【００７４】
コンテンツ管理システム４は、コンテンツ提供システム１からの暗号化依頼に応じて、コンテンツを暗号化するための暗号鍵を鍵管理部３５で生成し、その暗号鍵を用いてコンテンツを暗号化し、コンテンツ提供システム１に返信する。
【００７５】
また、コンテンツ管理システム４は、部分コンテンツの保管要求に応じて暗号鍵を鍵管理部３５から読み出し、この暗号鍵を用いて部分コンテンツを暗号化した保管コンテンツを保管する。生成された暗号鍵は、鍵管理部３５で管理される。
【００７６】
暗号化コンテンツ又は保管コンテンツは、管理部３０で管理してもよく、書棚管理部３６で管理してもよい。
【００７７】
コンテンツ管理システム４は、ユーザ端末３からの復号鍵の要求（権利購入要求）に応じて、復号鍵を鍵管理部３５によって取り出し、ユーザ端末３に配布し、課金、決済、利益分配を行う。
【００７８】
コンテンツ管理システム４は、ユーザ端末３からの保管要求に応じて、暗号化コンテンツ又は部分コンテンツのいずれの保管要求か判断する。コンテンツ管理システム４は、暗号化コンテンツの保管要求の場合、暗号化コンテンツを重複なく保管し、部分コンテンツの保管要求の場合、部分コンテンツを暗号化した保管コンテンツを書庫４０としての役割を果たす記録装置に保管する。
【００７９】
コンテンツ管理システム４は、ユーザ端末３からの取得要求に応じて、書庫４０から暗号化コンテンツ又は保管コンテンツを取り出して配信する。
【００８０】
以下に、各システム１、２、４及びユーザ端末３の構成について説明する。
【００８１】
コンテンツ提供システム１は、記録媒体５に記録されたプログラム６を読み込み、実行することにより、コンテンツ作成部７、暗号化依頼部８、管理部９、配信部１０、配信先データ管理部１１としての機能を実現する。また、コンテンツ提供システム１は、記録装置１２〜１４を具備する。
【００８２】
コンテンツ作成部７は、コンテンツ（オリジナルコンテンツ）を作成し、または作成済みのコンテンツを受け付け、コンテンツとこのコンテンツを識別するコンテンツＩＤとを関連付けて記録装置１２に記録する。
【００８３】
暗号化依頼部８は、記録装置１２からコンテンツとそのコンテンツに関連付けられたコンテンツＩＤとを取得し、例えばＶＰＮ（virtual Private Network）を用いて、コンテンツとコンテンツＩＤをコンテンツ管理システム４に提供し、返答として暗号化コンテンツを受け付ける。
【００８４】
なお、コンテンツＩＤは、コンテンツ提供システム１で発行してもよく、コンテンツ管理システム４で発行されたコンテンツＩＤをコンテンツ提供システム１が受け付けて利用してもよい。また、コンテンツＩＤは、コンテンツを識別するデータとしているが、このコンテンツを暗号化した暗号化コンテンツを識別するデータとしてもよい。
【００８５】
管理部９は、暗号化コンテンツとコンテンツＩＤを関連付けて記録装置１３に記録し、配信部１０に提供する。
【００８６】
配信部１０は、任意のユーザ端末又は任意のコンテンツ流通システムに暗号化コンテンツとコンテンツＩＤを提供する。この図１では、配信部１０はコンテンツ流通システム２に暗号化コンテンツを提供する。また、配信部１０は、暗号化コンテンツの配信先を示す配信先データを記録装置１４に提供する。
【００８７】
配信先データ管理部１１は、配信部１０から受け付けた暗号化コンテンツの配信先を示す配信先データを記録装置１４に記録する。
【００８８】
コンテンツ流通システム２は、記録媒体１５に記録されたプログラム１６を読み込み、実行することにより、コンテンツ入荷部１７、管理部１８、配信部１９としての機能を実現する。また、コンテンツ流通システム２は、記録装置２０を具備する。
【００８９】
コンテンツ入荷部１７は、コンテンツ提供システム１から暗号化コンテンツとコンテンツＩＤを受け付け、管理部１８に提供する。
【００９０】
管理部１８は、暗号化コンテンツとコンテンツＩＤとの関連付けて記録装置２０に記録し、また暗号化コンテンツとコンテンツＩＤを記録装置２０から読み出す。
【００９１】
配信部１９は、他のコンテンツ流通システム又は任意のユーザ端末から受け付けたコンテンツＩＤを含むコンテンツ要求に応じて暗号化コンテンツを他のコンテンツ流通システム又は任意のユーザ端末に提供する。図１では、配信部１９はユーザ端末３に暗号化コンテンツを提供する。
【００９２】
ユーザ端末３は、記録媒体２１に記録されたプログラム２２を読み込み、実行することにより、受信部２３、ビューア２４としての機能を実現する。また、ユーザ端末３は、記録装置２５を具備する。ユーザ端末３は、コンテンツ管理システム４から受け付けた復号鍵を着脱式記録媒体２６に記録し、また着脱式記録媒体２６から復号鍵を読み出す。
【００９３】
受信部２３は、コンテンツ流通システム２にコンテンツ要求を提供し、その応答として暗号化コンテンツを受け付け、暗号化コンテンツとコンテンツＩＤを関連付けて記録装置２５に記録する。
【００９４】
ビューア２４は、コンテンツの編集を行う。ユーザは、ビューア２４の中でのみコンテンツに対して切り抜きなどの編集作業を行い、ビューア２４を通して保管したい暗号化コンテンツ又は部分コンテンツをコンテンツ管理システム４に提供する。編集後の部分コンテンツはプレーンテキストになり、暗号化されていないため著作権保護技術が適用されない。したがって、本実施の形態においては、編集結果はビューア２４の外部に出すことができないとし、ユーザは編集作業をビューア２４の中でのみ行う。
【００９５】
ビューア２４は、他システムと通信するために通常の通信技術に加え、例えばＶＰＮなど機密的通信技術を適用して編集後のコンテンツを送信する。機密的な通信ネットワークを利用することで、変更後のコンテンツがプレーンテキストのまま送信された場合であっても盗聴などされることを防止できる。
【００９６】
ビューア２４は、自動的に又はユーザからの指示にしたがってコンテンツを保管する。例えば、新聞、雑誌の定期購読とシリーズ本の順次購入などの場合、ユーザは、毎回保管手続きをして保管を依頼するのが面倒である。したがって、ユーザは、書名、雑誌名、又は記事名、コラム名を予めビューア２４に登録する。ビューア２４は、コンテンツを入手し購入を済ませたなど所定のイベント発生に応じて、自動的にコンテンツをコンテンツ管理システム４に保管する。
【００９７】
ビューア２４は、暗号化コンテンツの復号、再生など通常のビューアとしての機能を持つ。
【００９８】
例えば、ビューア２４は、鍵管理部２４１、復号化部２４２、操作受付部２４５、コンテンツ操作部２４３、要求応答部２４４を具備する。
【００９９】
鍵管理部２４１は、ユーザからのコンテンツＩＤを含む鍵要求をコンテンツ管理システム４に提供し、コンテンツＩＤに対応する復号鍵を受け付け、着脱式記録媒体２６に記録する。
【０１００】
復号化部２４２は、着脱式記録媒体２６からコンテンツＩＤに対応する復号鍵を取り出すか、または鍵管理部２４１から復号化鍵を受け付け、その復号鍵を用いて暗号化コンテンツを復号化する。
【０１０１】
操作受付部２４５は、ユーザから例えば鍵の取得指示、コンテンツの保管指示、コンテンツ取得指示、コンテンツの変更指示などを受け付け、指示内容を指示相手の鍵管理部２４１、要求応答部２４４、コンテンツ操作部２４３に通知する。
【０１０２】
コンテンツ操作部２４３は、復号化部２４２によって復号化されたコンテンツを受け付け、ユーザからの変更指示にしたがってコンテンツを変更する。本実施の形態においては、変更の例として、コンテンツの一部を切り出して部分コンテンツを作成する。
【０１０３】
要求応答部２４４は、保管要求、取得要求などコンテンツ管理のための各種要求をコンテンツ管理システム４に提供する。また、本実施の形態においては、要求応答部２４４は、予め登録されたコンテンツＩＤに関する保管要求を所定のイベント発生に応じて自動的にコンテンツ管理システム４に提供する。
【０１０４】
また、要求応答部２４４は、コンテンツ管理システム４に保管対象の暗号化コンテンツ又は部分コンテンツがない場合に、保管対象の暗号化コンテンツ又は部分コンテンツの要求をコンテンツ管理システム４から受け付け、この要求に応じて暗号化コンテンツ又は部分コンテンツを提供する。
【０１０５】
コンテンツ管理システム４は、復号鍵を配信し、コンテンツの保管サービスを提供する。
【０１０６】
コンテンツ管理システム４は、記録媒体２７に記録されたプログラム２８を読み込み、実行することにより、暗号化コンテンツ作成部２９、管理部３０、鍵販売部３１、課金決済部３２、ユーザ管理部３３、受理配信部３４、鍵管理部３５、書棚管理部３６としての機能を実現する。また、コンテンツ管理システム４は、記録装置３７〜３９、書庫４０を具備する。
【０１０７】
暗号化コンテンツ作成部２９は、コンテンツ提供システム１から暗号化依頼を受け付けた場合に、鍵管理部３５に前記コンテンツとコンテンツＩＤとを提供して暗号化を要求し、鍵管理部３５によって作成された暗号化コンテンツを受け付ける。
【０１０８】
そして、暗号化コンテンツ作成部２９は、暗号化コンテンツとコンテンツＩＤとを管理部３０に提供するとともに暗号化コンテンツをコンテンツ提供システム１に返す。
【０１０９】
管理部３０は、暗号化コンテンツとコンテンツＩＤとを関連付けて記録装置３７に記録し、またコンテンツＩＤに基づいて記録装置３７から暗号化コンテンツを読み出す。
【０１１０】
鍵販売部３１は、ビューア２４の鍵管理部２４１からコンテンツＩＤを含む鍵要求を受け付け、鍵管理部３５に鍵要求を通知し、鍵要求に含まれるコンテンツＩＤに基づいて鍵管理部３５によって取り出された復号鍵を鍵管理部３５から受け付ける。また、鍵販売部３１は、復号鍵をビューア２４に提供するとともに、課金決済部３２に決済要求を提供する。
【０１１１】
課金決済部３２は、決済要求に基づいてユーザ管理部３３によって管理されているユーザデータを読み出し、課金処理を実行し、ユーザデータを更新する。ユーザデータには、ユーザＩＤ毎に、課金データ、購入履歴データが記録されている。
【０１１２】
ユーザ管理部３３は、ユーザＩＤと記録装置３８に記録されたユーザデータとに基づいてユーザを認証する。例えば、ユーザＩＤとパスワードとが一致した場合に、ユーザの要求を許可する。
【０１１３】
また、ユーザ管理部３３は、課金決済部３２にユーザデータを提供し、課金データ、購入履歴データを更新したユーザデータを受け付けて記録する。
【０１１４】
表１に、ユーザデータの具体例を示す。
【０１１５】
【表１】
2004199602.tif 000003
【０１１６】
受理配信部３４は、ビューア２４の要求応答部２４４から保管要求を受け付けると、ユーザ管理部３３、管理部３０、鍵管理部３５、書棚管理部３６と連携し、暗号化コンテンツ又は部分コンテンツの保管のための動作を行う。
【０１１７】
また、受理配信部３４は、ビューア２４の要求応答部２４４から取得要求を受け付けると、ユーザ管理部３３、書棚管理部３６と連携し、暗号化コンテンツ又は部分コンテンツを暗号化した保管コンテンツの配信のための動作を行う。
【０１１８】
鍵管理部３５は、暗号化コンテンツ作成部２９から鍵発行依頼を受け付け、暗号鍵と復号鍵を発行し、コンテンツを暗号化し、暗号鍵と復号鍵とコンテンツＩＤとを関連付けて記録装置３９に記録し、記録装置３９に記録されたデータの管理を行う。また、鍵管理部３５は、暗号化コンテンツを暗号化コンテンツ作成部２９に提供する。
【０１１９】
書棚管理部３６は、重複しないコンテンツの保管を行うために書庫４０（レポジトリ）で書棚（データ）Ｂを管理し、また書庫４０からコンテンツＩＤに対応するコンテンツを読み出す。
【０１２０】
図２は、暗号化コンテンツ及び部分コンテンツの保管動作の概略を表すブロック図である。この図２において、コンテンツＣ1を暗号化したものが暗号化コンテンツＥ1であり、部分コンテンツＣ2を暗号号化したものが保管コンテンツＥ2である。
【０１２１】
第１に、ユーザＵ1が所有するコンテンツＣ1をコンテンツ管理システム４に保管する場合、ユーザＵ1の操作するビューア２４の要求応答部２４４は、ユーザＩＤ、コンテンツＩＤとを含む保管要求をコンテンツ管理システム４に提供する。
【０１２２】
コンテンツ管理システム４は、受理配信部３４で保管要求を受け付け、ユーザ管理部３３でユーザを認証し、書棚管理部３６及び管理部３０でコンテンツ管理システム４中にコンテンツＣ1を暗号化した暗号化コンテンツＥ1があるか判断する。
【０１２３】
ここでは、コンテンツ管理システム４中に暗号化コンテンツＥ1がないため、コンテンツ管理システム４は、書棚管理部３６及び管理部３０の判断結果に基づいて、受理配信部３４からユーザＵ1の操作するユーザ端末３に暗号化コンテンツＥ1を要求する。
【０１２４】
ユーザＵ1の操作するビューア２４は、要求応答部２４４によって暗号化コンテンツＥ1の要求を受け付け、暗号化コンテンツＥ1をコンテンツ管理システム４に送信する。なお、ユーザＵ1は、暗号化コンテンツＥ1を復号化する復号鍵Ｋ1を持つ。
【０１２５】
コンテンツ管理システム４は、受理配信部３４によって暗号化コンテンツＥ1を受信し、書棚管理部３６によって、書庫４０にユーザＵ1の書棚Ｂ1を設け、暗号化コンテンツＥ1を保管する。
【０１２６】
第２に、ユーザＵ2はコンテンツＣ1を編集可能なビューア２４上で、編集作業を行い、コンテンツＣ1について切り抜きなどの編集を行いコンテンツＣ1の中の一部である部分コンテンツＣ2をコンテンツ管理システム４に保管する指示をする。
【０１２７】
この場合、ユーザＵ2の操作するビューア２４は、要求応答部２４４によって部分コンテンツＣ2、ユーザＩＤ、コンテンツＩＤを含む保管要求をコンテンツ管理システム４に送信する。なお、ユーザＵ2は、暗号化コンテンツＥ1を復号化する復号鍵Ｋ1を持つ。
【０１２８】
ビューア２４は専用端末か十分に耐タンパーであるソフトウェアとする。この場合、部分コンテンツＣ2は、プレーンテキストになり、盗聴などされる可能性があるため、例えばＶＰＮなど機密的な手段で送信する。
【０１２９】
また、ビューア２４はコンテンツ管理システム４が暗号化コンテンツＥ1のアーカイブを入手可能（自身が持っていか、あるいはアーカイブの存在場所を知っていて入手可能）であれば、コンテンツＣ1のうち切り抜いた部分の位置データを送信すればよい。
【０１３０】
しかし、切り抜いた部分に対してユーザＵ2が注釈などのような付加データを加えた場合、ビューア２４は部分コンテンツＣ2自体を送信する。
【０１３１】
コンテンツ管理システム４は、ユーザＵ2の操作するユーザ端末３から受理配信部３４によって保管要求を受け付け、ユーザ管理部３３でユーザを認証し、コンテンツＩＤを用いて、鍵管理部３５（コンテンツ管理システム４に具備されていてもよく、具備されていなくてもよい）によって部分コンテンツＣ2に対する全体のコンテンツＣ1を暗号化した暗号鍵Ｋ2を読み出して部分コンテンツＣ2を暗号鍵Ｋ2を用いて暗号化して保管コンテンツＥ2を作成し、書棚管理部３６によってユーザＵ2の書棚Ｂ2に保管する。
【０１３２】
ユーザＵ2の操作するユーザ端末３から部分コンテンツＣ2の代わりに位置データがコンテンツ管理システム４に送られた場合、コンテンツ管理システム４は、鍵管理部３５でコンテンツＣ1を入手し位置データに基づいてコンテンツＣ1を編集して部分コンテンツＣ2を求め、部分コンテンツＣ2を暗号鍵Ｋ2を用いて暗号化して保管コンテンツＥ2を作成し、書棚管理部３６で保管コンテンツＥ2をユーザＵ2の書棚Ｂ2に保管する。
【０１３３】
第３に、ユーザＵ3がユーザＵ1と同じコンテンツＣ1をコンテンツ管理システム４に保管する場合、ユーザＵ3の操作するユーザ端末３は、ユーザＩＤ、コンテンツＩＤとを含む保管要求をコンテンツ管理システム４に送信する。
【０１３４】
コンテンツ管理システム４は、受理配信部３４で保管要求を受け付け、ユーザ管理部３３でユーザを認証し、書棚管理部３６及び管理部３０でコンテンツ管理システム４中にコンテンツＣ1を暗号化した暗号化コンテンツＥ1があるか判断する。
【０１３５】
コンテンツ管理システム４は、書棚管理部３６及び管理部３０の判断結果に基づいて、すでにユーザＵ1が暗号化コンテンツＥ1を預託したことを認識し、重複した保管はコストパフォーマンス的に良くないため、書棚管理部３６により、ユーザＵ3の書棚Ｂ3からユーザＵ1の書棚Ｂ1に含まれる暗号化コンテンツＥ1へのリンクを張るなど関連付けを行うための参照データＤをユーザＵ3の書棚Ｂ3に保管し、重複を排除してコンテンツを保管する。
【０１３６】
表２に、書棚Ｂのデータ構造の一例を示す。この書棚Ｂでは、ユーザＩＤに対して、コンテンツＩＤ又は保管コンテンツＩＤが記録される。またコンテンツＩＤ又は保管コンテンツＩＤに対応する暗号化コンテンツ又は保管コンテンツが記録されるか、あるいは暗号化コンテンツ又は保管コンテンツを参照するための参照データ（例えばリンク、ＵＲＬ）が記録される。
【０１３７】
【表２】
2004199602.tif 000004
【０１３８】
図３は、暗号化コンテンツ及び部分コンテンツの取得動作の概略を表すブロック図である。
【０１３９】
第１に、ユーザＵ1の操作するユーザ端末３がコンテンツ管理システム４に対してコンテンツＣ1の取得要求を出す。
【０１４０】
コンテンツ管理システム４は、受理配信部３４で取得要求を受け付け、ユーザ管理部３３でユーザを認証し、書棚管理部３６でユーザＵ1の書棚Ｂ1にある暗号化コンテンツＥ1を読み出し、読み出した暗号化コンテンツＥ1を受理配信部３４で返信する。ユーザＵ1は、復号鍵Ｋ1を持っているため暗号化コンテンツＥ1を復号化してコンテンツＣ1を利用可能である。
【０１４１】
第２に、ユーザＵ2の操作するユーザ端末３が部分コンテンツＣ2の取得をコンテンツ管理システム４に要求する。
【０１４２】
コンテンツ管理システム４は、受理配信部３４で取得要求を受け付け、ユーザ管理部３３でユーザを認証し、書棚管理部３６でユーザＵ2の書棚Ｂ2の保管コンテンツＥ2（部分コンテンツＣ2を暗号化したコンテンツ）を読み出し、読み出した保管コンテンツＥ2を返信する。
【０１４３】
保管コンテンツＥ2は、復号鍵Ｋ1により復号化可能に暗号化されている。したがって、ユーザＵ2は、暗号化コンテンツＥ1を復号する復号鍵Ｋ1を持っていれば、保管コンテンツＥ2を復号化し、部分コンテンツＣ2を利用可能である。
【０１４４】
第３に、ユーザＵ3の操作するユーザ端末３がコンテンツ管理システム４に対してコンテンツＣ1の取得要求を出す。
【０１４５】
コンテンツ管理システム４は、受理配信部３４で取得要求を受け付け、ユーザ管理部３３でユーザを認証し、書棚管理部３６でユーザＵ3の書棚Ｂ3にある参照データＤに基づいて暗号化コンテンツＥ1を読み出し、読み出した暗号化コンテンツＥ1を受理配信部３４で返信する。ユーザＵ3は、復号鍵Ｋ1を持っているため暗号化コンテンツＥ1を復号化してコンテンツＣ1を利用可能である。
【０１４６】
以下に本実施の形態に係るユーザ端末３とコンテンツ管理システム４との動作について詳細に説明する。
【０１４７】
図４は、暗号化コンテンツの保管及び取得のためのユーザ端末３とコンテンツ管理システム４の動作の一例を示すシーケンス図である。
【０１４８】
ユーザは、すでにコンテンツ流通システム２から暗号化コンテンツを取得し、それを復号するための復号鍵をコンテンツ管理システム４から取得しているとする。
【０１４９】
ユーザ端末３のビューア２４の要求応答部２４４は、所定のイベント発生時に、コンテンツ管理システム４に対してユーザＩＤとコンテンツＩＤを含む保管要求を提供する。
【０１５０】
コンテンツ管理システム４の受理配信部３４は、保管要求を受け付け、ユーザ管理部３３は、ユーザＩＤを用いてユーザ認証を行う。
【０１５１】
受理配信部３４は、保管要求された暗号化コンテンツが書庫４０にあるか否か判断を書棚管理部３６に依頼する。
【０１５２】
書棚管理部３６は、コンテンツＩＤを用いて暗号化コンテンツが書庫４０にあるか判断し、結果を受理配信部３４に通知する。
【０１５３】
書庫４０にあった場合、受理配信部３４は、保管要求を書棚管理部３６に提供し、書棚管理部３６は、保管要求に基づいて記録済みの暗号化コンテンツへの参照データをユーザの書棚Ｂに記録し、コンテンツ保管を行う。
【０１５４】
書庫４０にない場合、受理配信部３４は、管理部３０にコンテンツＩＤを用いて記録装置３７に暗号化コンテンツがあるか問い合わせる。
【０１５５】
管理部３０は、コンテンツＩＤに対応する暗号化コンテンツが記録装置３７にあるか判断し、結果を受理配信部３４に通知する。
【０１５６】
記録装置３７にある場合、受理配信部３４は、保管要求を書棚管理部３６に提供し、書棚管理部３６は、記録装置３７に記録されている暗号化コンテンツを参照するための参照データをユーザの書棚Ｂに記録し、コンテンツ保管を行う。
【０１５７】
記録装置３７にない場合、受理配信部３４は、ビューア２４に対して暗号化コンテンツを要求する。
【０１５８】
ビューア２４の要求応答部２４４は、暗号化コンテンツの要求を受け付け、この要求に応じて暗号化コンテンツをコンテンツ管理システム４に提供する。
【０１５９】
受理配信部３４は、暗号化コンテンツを書棚管理部３６に提供する。
【０１６０】
書棚管理部３６は、保管要求に基づいて暗号化コンテンツをユーザの書棚Ｂに記録し、コンテンツ保管を行う。
【０１６１】
ここで、ユーザが暗号化コンテンツを紛失し、暗号化コンテンツを再取得するとする。
【０１６２】
ビューア２４の要求応答部２４４は、ユーザＩＤとコンテンツＩＤを含む取得要求をコンテンツ管理システム４に提供する。
【０１６３】
受理配信部３４は、取得要求を受け、ユーザ管理部３３は、ユーザＩＤを用いてユーザ認証を行う。
【０１６４】
受理配信部３４は、取得要求を書棚管理部３６に通知する。
【０１６５】
書棚管理部３６は、コンテンツＩＤを用いて暗号化コンテンツを書庫４０から読み出すか、参照データに基づいて書庫４０又は記録装置３７から読み出し、受理配信部３４に提供する。
【０１６６】
受理配信部３４は、読み出した暗号化コンテンツをビューア２４に提供する。
【０１６７】
ビューア２４の要求応答部２４４は、コンテンツ管理システム４から暗号化コンテンツを受け付けて復号化部２４２に提供し、復号化部２４２は着脱式記録媒体２６から復号鍵を取り出し、暗号化コンテンツを復号化し、再生する。
【０１６８】
図５は、部分コンテンツの保管及び取得のためのユーザ端末３とコンテンツ管理システム４の動作の一例を示すシーケンス図である。
【０１６９】
ビューア２４のコンテンツ操作部２４３は、ユーザの操作にしたがってコンテンツに対して切り抜きなどの編集を行い、要求応答部２４４は所定のイベント発生時に、編集の結果得られた部分コンテンツとユーザＩＤとコンテンツＩＤとを含む保管要求をＶＰＮなどの機密通信技術を用いてコンテンツ管理システム４に提供する。
【０１７０】
コンテンツ管理システム４の受理配信部３４は、保管要求を受け、ユーザ管理部３３は、ユーザＩＤを用いてユーザ認証を行う。
【０１７１】
コンテンツ管理システム４の受理配信部３４は、保管要求がコンテンツの保管要求か部分コンテンツの保管要求か判断する。ここでは部分コンテンツの保管要求であるため、コンテンツ管理システム４はこの部分コンテンツを暗号化してから保管する必要がある。
【０１７２】
そこで、受理配信部３４は、鍵管理部３５に、コンテンツＩＤと部分コンテンツを通知し、暗号化処理を依頼する。
【０１７３】
鍵管理部３５は、コンテンツＩＤを用いて、オリジナルのコンテンツの暗号化に使用された暗号化鍵を記録装置３９（鍵データベース）から取得し、暗号化鍵を用いて部分コンテンツの暗号化を行う。
【０１７４】
鍵管理部３５は、部分コンテンツを暗号化した保管コンテンツを受理配信部３４に返信する。
【０１７５】
受理配信部３４は、保管コンテンツを受け取ったら、書棚管理部３６に保管コンテンツの保管を要求する。
【０１７６】
書棚管理部３６は、新たに保管コンテンツＩＤを発行し、保管コンテンツを保管し、保管コンテンツＩＤを受理配信部３４に返す。
【０１７７】
受理配信部３４は、ビューア２４の要求応答部２４４に保管コンテンツＩＤを返す。
【０１７８】
ここで、ユーザが部分コンテンツを紛失し、部分コンテンツを取得するとする。
【０１７９】
ビューア２４の要求応答部２４４は、ユーザＩＤと保管コンテンツＩＤとを含む保管コンテンツの取得要求をコンテンツ管理システム４に提供する。
【０１８０】
コンテンツ管理システム４の受理配信部３４は、取得要求を受け、取得要求が暗号化コンテンツに対する要求か保管コンテンツに対する要求かを判断する。
【０１８１】
ユーザ管理部３３は、ユーザＩＤを用いてユーザ認証を行う。
【０１８２】
受理配信部３４は、取得要求を書棚管理部３６に通知する。
【０１８３】
書棚管理部３６は、保管コンテンツＩＤを用いて保管コンテンツを取り出し、受理配信部３４に返す。
【０１８４】
受理配信部３４は、保管コンテンツをビューア２４の要求応答部２４４に提供する。
【０１８５】
ビューア２４の要求応答部２４４は、コンテンツ管理システム４から保管コンテンツを受け付け、復号化部２４２に提供する。復号化部２４２は、着脱式記録媒体２６から復号鍵を取り出し、保管コンテンツを復号化し再生する。
【０１８６】
以上説明した本実施の形態において、ユーザは、様々な災害に備えて所有するコンテンツを確実に保管できる。ユーザは、コンテンツを紛失しても復号鍵などの権利データを持っていれば復号鍵を再購入することなく又は手数料程度の金額で紛失したコンテンツを取得し利用できる。
【０１８７】
また、ユーザは、ビューア２４内で切り抜きなどのコンテンツの編集を行うことができ、利便性が高まる。
【０１８８】
鍵管理者は、書庫サービス料、再取得手数料の徴収、又は会員向けの保管サービスとして会費を徴収することができ、収益が増え、ユーザを確実に抱え込むことができる。
【０１８９】
コンテンツ提供者は、コンテンツがユーザによって編集されても、ビューア２４内でのみ行われるため、不正コピー、コンテンツの転載など、著作権等のコンテンツに関係する権利の侵害を防止できる。
【０１９０】
また、コンテンツ提供者は、コンテンツの再取得に関して鍵管理者と協議し、一定の手数料を鍵管理者から徴収でき、利益を増すことができる。
【０１９１】
なお、本実施の形態においては、コンテンツ管理システム４がコンテンツ提供システム１から暗号化を依頼されて生成した暗号化コンテンツをアーカイブとして保管している場合を例として説明している。すなわち、本実施の形態においては、コンテンツ管理システム４の記録装置３７に暗号化コンテンツが記録されている。
【０１９２】
しかしながら、例えばコンテンツを暗号化する者と暗号化コンテンツを保管する者とが別の場合もある。このような場合、コンテンツ管理システム４では、管理部３０は構成から省略され、他の要素から管理部３０に暗号化コンテンツの有無を問い合わせる処理も省略される。
【０１９３】
また、本実施の形態において、コンテンツ管理システム４では、保管されている暗号化コンテンツのコンテンツＩＤとユーザＩＤとが関連付けされている。同様に、コンテンツ管理システム４では、保管コンテンツＩＤとユーザＩＤとが関連付けされている。したがって、ユーザは、取得要求にユーザＩＤを含めるのみで、このユーザＩＤに関係付けされている全てのコンテンツＩＤ、保管コンテンツＩＤを検索し、検索されたコンテンツＩＤ及び保管コンテンツＩＤの示す暗号化コンテンツ及び保管コンテンツを全て取得することができる。これにより、ユーザは容易に保管した全てのコンテンツ、部分コンテンツを再取得できる。
【０１９４】
また、本実施の形態においては、コンテンツ提供システム１、コンテンツ流通システム２、ユーザ端末３、コンテンツ管理システム４の機能は、プログラムにより実現されているが、ハードウェアによって実現してもよい。
【０１９５】
また、本実施の形態に係るコンテンツ配信システムに具備される各構成要素は、同様の動作を実現可能であれば配置を変更させてもよく、また各構成要素を自由に組み合わせてもよく、各構成要素を自由に分割してもよい。
【０１９６】
また、本実施の形態で説明した各種のシステムは複数の計算機により構成され、プログラムは複数の計算機に分散して配置され、互いに連携を取りつつ処理を実行するとしてもよい。
【０１９７】
また、上記各記録装置には、例えば内部メモリ、ハードディスクなどが適用される。上記各記録装置は、データベースを構成する要素であってもよい。
【０１９８】
本実施の形態に係るプログラムは、例えば磁気ディスク（フレキシブルディスク、ハードディスク等）、光ディスク（ＣＤ−ＲＯＭ、ＤＶＤ等）、半導体メモリなどの記録媒体に書き込んでコンピュータに適用可能である。またプログラムは、通信媒体により伝送してコンピュータに適用することも可能である。コンピュータは、プログラムを読み込み、プログラムによって動作が制御されることにより、上記の機能を実現する。
【０１９９】
本実施の形態において、暗号化コンテンツ、部分コンテンツの保管要求を発する者と、保管要求に対応する取得要求を発する者とは、別の者であってもよい。例えば、ある者が暗号化コンテンツ、部分コンテンツを保管し、保管した者の家族など所定の関係を持つ者が保管したコンテンツに対応する暗号化コンテンツ、保管コンテンツを取得するとしてもよい。このような運用は、例えば、ユーザＩＤがユーザグループを識別するデータとし、書棚Ｂがユーザグループ毎に確保されることで容易に実現できる。
【０２００】
（第２の実施の形態）
本実施の形態においては、上記第１の実施の形態について暗号化コンテンツ及び保管コンテンツの保管形式の変形例について説明する。
【０２０１】
上記第１の実施の形態では、暗号化コンテンツが重複して保管されることを排除するため、重複する暗号化コンテンツ自体を各ユーザの書棚Ｂのいずれか一つに含め、他の書棚Ｂには参照データを含めるとしている。
【０２０２】
しかしながら、図６に示すように、書庫４０の中でユーザの書棚Ｂと異なる領域に暗号化コンテンツの格納領域４１を設け、全ての暗号化コンテンツをその領域４１で管理するとしてもよい。
【０２０３】
また、図７に示すように、書庫４０とは別のコンテンツデータベース４２を設け、コンテンツデータベース４２で全ての暗号化コンテンツを管理してもよい。
【０２０４】
上記図６及び図７の場合、全てのユーザの書棚Ｂには暗号化コンテンツの参照データ及び保管コンテンツが含まれるが、暗号化コンテンツ自体は含まれることがない。
【０２０５】
上記第１の実施の形態では、コンテンツ提供システム１からの暗号化依頼で生成された暗号化コンテンツがアーカイブとしてコンテンツ管理システム４に保管され、保管コンテンツがユーザの書棚Ｂで管理される。
【０２０６】
しかしながら、図８に示すように、管理部３０は、暗号化コンテンツを全て記録装置３７に記録して管理し、書棚管理部３６は、保管コンテンツのみを書庫４０の格納領域４１に記録して管理するとしてもよい。この場合、書棚管理部３６は、保管コンテンツをユーザの書棚Ｂの参照データに基づいて読み出し、管理部３０は暗号化コンテンツを読み出す。また、この図８と上記図７の構成を組み合わせ、保管コンテンツは、書庫４０とは別のコンテンツデータベース４２で管理してもよい。
【０２０７】
上記図８の場合、ユーザの書棚Ｂには暗号化コンテンツへの参照データ及び保管コンテンツへの参照データが含まれるが、暗号化コンテンツ及び保管コンテンツ自体は含まれることがない。
【０２０８】
これにより、コンテンツ管理システム４を柔軟な構成にでき、リソースを簡素化できる。
【０２０９】
（第３の実施の形態）
本実施の形態においては、上記第１の実施の形態について暗号化コンテンツの保管要求の変形例について説明する。
【０２１０】
上記第１の実施の形態では、通信量を減らすため、ユーザ端末３は、まずコンテンツＩＤを含み暗号化コンテンツを含まない保管要求をコンテンツ管理システム４に送信し、コンテンツ管理システム４によって保管対象の暗号化コンテンツが記録済みでないと判断された場合に、暗号化コンテンツを送信する。
【０２１１】
しかしながら、暗号化コンテンツが通信に影響しない程度のサイズの場合には、保管要求に暗号化コンテンツ自体を含めて送信してもよい。これにより、コンテンツ管理システム４はユーザに誘発的にコンテンツを送信してもらうステップを省略でき、処理効率が高まる。
【０２１２】
なお、保管要求に暗号化コンテンツの参照データ（例えばＵＲＬ）を含めて送信してもよい。
【０２１３】
（第４の実施の形態）
本実施の形態においては、上記第１の実施の形態について部分コンテンツの保管要求の変形例について説明する。
【０２１４】
上記第１の実施の形態では、コンテンツ管理システム４においてコンテンツ提供システム１の暗号化依頼にしたがって生成された暗号化コンテンツがアーカイブとして保管されている。
【０２１５】
本実施の形態では、ユーザ端末３は、原コンテンツに対する部分コンテンツの位置データを部分コンテンツの代わりに保管要求に含めてコンテンツ管理システム４に送信する。コンテンツ管理システム４は、この位置データによって、原コンテンツから部分コンテンツを切り抜き、暗号化して保管する。
【０２１６】
図９は、原コンテンツの具体例を示す図である。
【０２１７】
例えば、ＸＭＬ（Extensible Markup Language）などで記述されたコンテンツ４３は、データの内容がタグで項目分けされている。
【０２１８】
コンテンツ４３は、メタデータと実体データとを含む。
【０２１９】
メタデータには、コンテンツＩＤ、コンテンツ提供者ＩＤ、コンテンツ流通者ＩＤ、記事ＩＤと該当するページ番号とが記述されている。
【０２２０】
実体データには、記事の内容が記述される。各記事の内容は記事ＩＤによって特定される。
【０２２１】
原コンテンツから例えば記事ＩＤ「Ｎ１」「Ｎ２」の示す記事を切り出し、この部分コンテンツを保管する場合、切り抜いた部分を示すタグを位置データ「記事 id=”N1”,startpage=”1”, endpage=”5”」「記事 id=”N4”,startpage=”15”, endpage=”20”」とし、保管要求に含める。
【０２２２】
コンテンツ管理システム４は、コンテンツを暗号化した暗号化コンテンツを保管しているため、この暗号化コンテンツを復号化し、位置データの示す部分コンテンツを求める。
【０２２３】
そして、コンテンツ管理システム４は、求めた部分コンテンツを暗号化し、保管する。
【０２２４】
これにより、ユーザ端末３とコンテンツ管理システム４との間の通信量が削減され、ユーザ端末３の処理負担が軽減される。
【０２２５】
なお、部分コンテンツにユーザによって付加されたデータが含まれる場合、付加データを含む部分コンテンツを保管要求に含めて送信してもよい。
【０２２６】
また、部分コンテンツについても、暗号化コンテンツと同様の手法を適用して、重複した保管を排除してもよい。
【０２２７】
【発明の効果】
以上詳記したように本発明においては、保管されるコンテンツ数を削減するとともにコンテンツを容易かつ迅速に再取得でき、コンテンツの保管を効率化できる。
【図面の簡単な説明】
【図１】本発明の第１の実施の形態に係るコンテンツ配信システムの一例を示すブロック図。
【図２】暗号化コンテンツ及び部分コンテンツの保管動作の概略を表すブロック図。
【図３】暗号化コンテンツ及び部分コンテンツの取得動作の概略を表すブロック図。
【図４】暗号化コンテンツの保管及び取得のためのユーザ端末とコンテンツ管理システムの動作の一例を示すシーケンス図。
【図５】部分コンテンツの保管及び取得のためのユーザ端末とコンテンツ管理システムの動作の一例を示すシーケンス図。
【図６】暗号化コンテンツの保管形式の第１変形例を示すブロック図。
【図７】暗号化コンテンツの保管形式の第２変形例を示すブロック図。
【図８】暗号化コンテンツと保管コンテンツの保管形式の変形例を示すブロック図。
【図９】原コンテンツの具体例を示す図。
【符号の説明】
１…コンテンツ提供システム、２…コンテンツ流通システム、３…ユーザ端末、４…コンテンツ管理システム、２９…暗号化コンテンツ作成部、３０…管理部、３１…鍵販売部、３２…課金決済部、３３…ユーザ管理部、３４…受理配信部、３５…鍵管理部、３６…書棚管理部
【図１】
2004199602.tif 000005
【図２】
2004199602.tif 000006
【図３】
2004199602.tif 000007
【図４】
2004199602.tif 000008
【図５】
2004199602.tif 000009
【図６】
2004199602.tif 000010
【図７】
2004199602.tif 000011
【図８】
2004199602.tif 000012
【図９】
2004199602.tif 000013